(57)【要約】【課題】  扉外からサムタ−ンを回転して不正解錠されることを防止する防犯機能を備えた施解錠機構のサムタ−ン装置において、サムタ−ンノブを常時取付けたままで不正解錠することができない構成とすること。【解決手段】  操作ボタン１９、２０の押圧操作でサムタ−ンノブ１５の移動を許可し、この許可の下にサムタ−ンノブ１５を前進移動させてクラッチ（１８ａ、１５１ａ）を非連結動作させてサムタ−ンノブ１５とシャフト１８との連動系を切り離して防犯モ−ドにセットし、この防犯モ−ドではサムタ−ンノブ１５が空転して解錠不可となるようにしてある。【選択図】    図４
2005061176.tif 000002
【特許請求の範囲】
【請求項１】
扉に設備される施解錠機構のサムタ−ン装置において、
他端部を施解錠機構に連結し、回転駆動させることによって当該施解錠機構を施解錠することができるシャフトと、
このシャフトの軸心方向となる所定範囲の移動とシャフト周り方向の回転とを自在として装置固定部に取付けたサムタ−ンノブと
このサムタ−ンノブの一方向の移動と他方向の移動にしたがって当該サムタ−ンノブの一部をシャフト一端部に連結し、また、非連結とするクラッチと、
サムタ−ンノブの移動位置を保持し、操作によりサムタ−ンノブの移動を許可する操作手段とを設け、
クラッチを非連結としてサムタ−ンノブを空転状態とし、クラッチを連結させてサムタ−ンノブによる施解錠を自在とする構成としたことを特徴とするサムタ−ン装置。
【請求項２】
請求項１に記載したサムタ−ン装置において、
シャフトを回転自在に軸支させた筒状の装置固定部の外周にサムタ−ンノブに設けた筒軸部を回転自在に嵌合させてサムタ−ンノブを取付け、
さらに、装置固定部にはクリック溝を、サムタ−ンノブにはそのクリック溝に突入勢力を与えたボ−ル部材を設け、
サムタ−ンノブの移動に節度感をもたせる構成としたことを特徴とするサムタ−ン装置。
【請求項３】
請求項１に記載したサムタ−ン装置において、
シャフトを回転自在に軸支させた筒状の装置固定部の外周に、シャフトの軸心方向には非移動として回転自在とした筒状の中間部材を嵌合すると共に、この中間部材の外周にサムタ−ンノブの軸筒部を回転自在に嵌合し、
さらに、前記中間部材にはクリック溝を、前記サムタ−ンノブにはそのクリック溝に突入勢力を与えたボ−ル部材を各々設け、
サムタ−ンノブの移動位置を規制すると共に、サムタ−ンノブの移動に節度感をもたせる一方、サムタ−ンノブを中間部材と一体的に回転する構成としたことを特徴とするサムタ−ン装置。
【請求項４】
請求項１〜３のいずれか１項に記載したサムタ−ン装置において、
クラッチは、シャフト一端部とサムタ−ンノブとのいずれか一方に設けた複数の溝部からなるクラッチ連結部とその他方に設けた複数の突形部からなるクラッチ連結部とより構成したことを特徴とするサムタ−ン装置。
【請求項５】
請求項４に記載したサムタ−ン装置において、
シャフト一端部に歯車状の一方のクラッチ連結部を、サムタ−ンノブに内歯の歯車状の他方のクラッチ連結部を各々設けると共に、それらのクラッチ連結部の両方または一方には、クラッチ連結部の対向側となる歯状部に案内形状のテ−パ−を設けたことを特徴とするサムタ−ン装置。
【請求項６】
請求項１に記載したサムタ−ン装置において、
操作手段は、クラッチを非連結とするサムタ−ンノブの他方位置を保持する操作ボタンを備え、この操作ボタンの操作によってクラッチを連結させるサムタ−ンノブの移動位置への移動を許可する構成としたことを特徴とするサムタ−ン装置。
【請求項７】
請求項６に記載したサムタ−ン装置において、
操作ボタンは、中程をサムタ−ンノブに軸支して所定の範囲で旋回する長形のボタン部材であって、その一端部には爪部が形成してあり、この爪部が前記ボタン部材に与えたばね勢力で装置固定部の一部に係合してサムタ−ンノブの移動を禁止し、ボタン操作でその係合を解除してサムタ−ンノブの移動を許可する構成としたことを特徴とするサムタ−ン装置。
【請求項８】
請求項６又は７に記載したサムタ−ン装置において、
操作手段には２つ以上の操作ボタンを備えたことを特徴とするサムタ−ン装置。
【請求項９】
請求項２又は３に記載したサムタ−ン装置において、
操作手段は、ばね部材の付勢力で装置固定部に係合してサムタ−ンノブの移動位置を保持する操作ノブを備え、
さらに、前記ばね部材を操作ボタンと前記ボ−ル部材との間に係架する構成としたことを特徴とするサムタ−ン装置。
【請求項１０】
請求項２又は３に記載したサムタ−ン装置において、
筒状の装置固定部を長形円筒部とし、この長形円筒部にシャフトを回転自在に挿入して軸支する構成としたことを特徴とするサムタ−ン装置。
【発明の詳細な説明】
【技術分野】
【０００１】
この発明は、建物などの扉に設備される施解錠機構のサムタ−ン装置に関し、詳しくは、サムタ−ンノブの不正操作による解錠を防止することができるサムタ−ン装置に係る。
【背景技術】
【０００２】
住宅などの扉に装備されている施解錠機構は、扉外からキ−を使って施解錠するシリンダ錠の他に、扉内からサムタ−ンノブを回転させて施解錠するサムタ−ン装置を備えたものが多い。
【０００３】
しかし、このような施解錠機構は、扉に孔をあけたり、また、明かり採り窓のある扉の場合は、窓を壊し、そこから手を扉内に差し入れたり、或いは、特殊な器具を差し入れてサムタ−ンノブを回転させ、不正に解錠されてしまうことがあった。
【０００４】
そこで、現今では、サムタ−ンノブを着脱自在とし、施錠した状態でサムタ−ンを取り外しておくことにより、上記した不正解錠を防止するようにした施解錠機構が提案されている。
【０００５】
従来の一例について述べると、引き違いの内外引戸の召し合せ部に召し合せ錠が設けられ、また、この召し合せ錠には、外引戸と内引戸の両方にキ−操作で施解錠できるシリンダが備えられ、さらに、内引戸側のシリンダには通常時は摘み（サムタ−ンノブ）付きの鍵が取付けられている。
【０００６】
そして、内引戸側のシリンダは、摘み付き鍵を上下方向に移動させることにより連結部を介して施解錠を行ない、また、摘み付き鍵を引っ張って回動することにより連結部が解除され、摘み付き鍵が取り外しできるようになっている。（例えば、特許文献１参照）
【０００７】
上記した召し合せ錠は、内引戸内から施錠する場合、摘み付き鍵を下方に移動させた後に、この摘み付き鍵を取り外しておく。
また、外出するときは、摘み付き鍵を取り外して引戸を閉め、その後に外引戸側のシリンダをキ−によって施錠する。
【０００８】
このように構成された召し合せ錠は、摘み付き鍵を施錠状態で取り外して所定の場所に保管しておくことができることから、引戸に孔をあけたり、明り採り窓を壊して引戸内に手を差し入れ、また、特殊な器具を差し入れても、摘み付き鍵を引っ張ったり回動させたりすることができない。
したがって、引戸外からの不正解錠を防止した防犯性に優れる召し合せ錠となる。
【０００９】
しかし、この召し合せ錠は、取り外した摘み付き鍵を紛失してしまうことがある。
例えば、取り外した摘み付き鍵を外出中に持ち歩いたため、摘み付き鍵をなくしたときは、帰宅しても引戸内から施錠することができず、引戸の召し合せ錠を解錠したままとしなければならない。
【００１０】
また、引戸内から施錠して摘み付き鍵を取り外したが、摘み付き鍵を置いた場所を忘れたような場合など摘み付き鍵を見失ってしまったときは、引戸内から解錠することができず、室内に閉じ込められた状態となり、火災などが起こったときに極めて危険な状態となる。
【００１１】
【特許文献１】特開２００１−２２０９３１号公報
【発明の開示】
【発明が解決しようとする課題】
【００１２】
施解錠機構のサムタ−ン装置において、施錠した後にサムタ−ンノブを取り外しておくことにより、サムタ−ンノブの不正な回転による解錠を防止するものは、取り外したサムタ−ンノブを置いた場所を忘れたり、紛失したりすることなどがあるため、緊急に解錠することができないことが問題となる。
【課題を解決するための手段】
【００１３】
本発明は、上記した問題点を解決するため、第１の発明として、扉に設備される施解錠機構のサムタ−ン装置において、他端部を施解錠機構に連結し、回転駆動させることによって当該施解錠機構を施解錠することができるシャフトと、このシャフトの軸心方向となる所定範囲の移動とシャフト周り方向の回転とを自在として装置固定部に取付けたサムタ−ンノブと、このサムタ−ンノブの一方向の移動と他方向の移動にしたがって当該サムタ−ンノブの一部をシャフト一端部に連結し、また、非連結とするクラッチと、サムタ−ンノブの移動位置を保持し、操作によりサムタ−ンノブの移動を許可する操作手段とを設け、クラッチを非連結としてサムタ−ンノブを空転状態とし、クラッチを連結させてサムタ−ンノブによる施解錠を自在とする構成としたことを特徴とするサムタ−ン装置を提案する。
【００１４】
この第１の発明のサムタ−ン装置は、操作手段を操作してサムタ−ンノブを一方向に移動させることにより、クラッチを連結してサムタ−ンノブによって施解錠できる使用モ−ドとなる。
【００１５】
また、この使用モ−ドにおいて、サムタ−ンノブを他方向に移動させると、クラッチが非連結となり、サムタ−ンノブがシャフトから機械的に切り離される。
これより、サムタ−ンノブが空転状態となり、防犯モ−ドとなる。
【００１６】
第２の発明は、上記した第１の発明のサムタ−ン装置において、シャフトを回転自在に軸支させた筒状の装置固定部の外周にサムタ−ンノブに設けた筒軸部を回転自在に嵌合させてサムタ−ンノブを取付け、さらに、装置固定部にはクリック溝を、サムタ−ンノブにはそのクリック溝に突入勢力を与えたボ−ル部材を設け、サムタ−ンノブの移動に節度感をもたせる構成としたことを特徴とするサムタ−ン装置を提案する。
【００１７】
この第２の発明のサムタ−ン装置は、クリック溝とボ−ル部材とによりサムタ−ンの移動位置を規制すると共に、サムタ−ンの移動に節度感をもたせることができる。
【００１８】
第３の発明は、上記した第１の発明のサムタ−ン装置において、シャフトを回転自在に軸支させた筒状の装置固定部の外周に、シャフトの軸心方向には非移動として回転自在とした筒状の中間部材を嵌合すると共に、この中間部材の外周にサムタ−ンノブの軸筒部を回転自在に嵌合し、さらに、前記中間部材にはクリック溝を、前記サムタ−ンノブにはそのクリック溝に突入勢力を与えたボ−ル部材を各々設け、サムタ−ンノブの移動位置を規制すると共に、サムタ−ンノブの移動に節度感をもたせる一方、サムタ−ンノブを中間部材と一体的に回転する構成としたことを特徴とするサムタ−ン装置を提案する。
【００１９】
この第３の発明のサムタ−ン装置は、サムタ−ンの移動に節度感をもたせる他に、中間部材がサムタ−ンノブと一体的に回転することから、サムタ−ンノブの回転操作が軽快となる。
【００２０】
第４の発明は、上記した第１〜第３の発明のサムタ−ン装置において、クラッチは、シャフト一端部とサムタ−ンノブとのいずれか一方に設けた複数の溝部からなるクラッチ連結部とその他方に設けた複数の突形部からなるクラッチ連結部とより構成したことを特徴とするサムタ−ン装置を提案する。
【００２１】
この第４の発明のサムタ−ン装置では、サムタ−ンノブを一方向に移動させたとき、複数の溝部に複数の突形部が嵌合してクラッチが連結し、サムタ−ンノブを他方向に移動させると、前記した溝部から突形部が抜け出てクラッチが非連結となる。
【００２２】
第５の発明は、上記した第４の発明のサムタ−ン装置において、シャフト一端部に歯車状の一方のクラッチ連結部を、サムタ−ンノブに内歯の歯車状の他方のクラッチ連結部を各々設けると共に、それらのクラッチ連結部の両方または一方には、クラッチ連結部の対向側となる歯状部に案内形状のテ−パ−を設けたことを特徴とするサムタ−ン装置を提案する。
【００２３】
この第５の発明のサムタ−ン装置は、クラッチが連結する場合に、クラッチ連結部の歯状部がテ−パ−に案内されるために、サムタ−ンノブの操作が円滑となる。
【００２４】
第６の発明は、上記した第１の発明のサムタ−ン装置において、操作手段は、クラッチを非連結とするサムタ−ンノブの他方位置を保持する操作ボタンを備え、この操作ボタンの操作によってクラッチを連結させるサムタ−ンノブの移動位置への移動を許可する構成としたことを特徴とするサムタ−ン装置を提案する。
【００２５】
この第６の発明のサムタ−ン装置は、操作ボタンを操作することにより、サムタ−ンノブの移動が許可される。
すなわち、防犯モ−ドから使用モ−ドに切換える場合には、操作ボタンを操作しながらサムタ−ンノブを一方向移動させて切換えられるようにしてある。
つまり、操作ボタンを操作しながらサムタ−ンノブを移動させて使用モ−ドに切換えるので、扉内側からの切換えは容易であるが、扉外側からの切換えは困難となる。
【００２６】
第７の発明は、上記した第６の発明のサムタ−ン装置において、操作ボタンは、中程をサムタ−ンノブに軸支して所定の範囲で旋回する長形のボタン部材であって、その一端部には爪部が形成してあり、この爪部が前記ボタン部材に与えたばね勢力で装置固定部の一部に係合してサムタ−ンノブの移動を禁止し、ボタン操作でその係合を解除してサムタ−ンノブの移動を許可する構成としたことを特徴とするサムタ−ン装置を提案する。
この第７の発明のサムタ−ン装置は、操作ボタンの構成例である。
【００２７】
第８の発明は、第６又は第７の発明のサムタ−ン装置において、操作手段には２つ以上の操作ボタンを備えたことを特徴とするサムタ−ン装置を提案する。
２つ以上の操作ボタンを設けることにより、扉内側からは容易に使用モ−ドに切換えることができる一方、扉外側から使用モ−ドに切換えることが困難となる。
すなわち、２以上の操作ボタンを操作しながらサムタ−ンノブを一方向に移動操作しなければならないので、扉外側の不正操作を確実に防止することができる。
【００２８】
第９の発明は、上記した第２又は第３の発明のサムタ−ン装置において、操作手段は、ばね部材の付勢力で装置固定部に係合してサムタ−ンノブの移動位置を保持する操作ノブを備え、さらに、前記ばね部材を操作ボタンと前記ボ−ル部材との間に係架する構成としたことを特徴とするサムタ−ン装置を提案する。
【００２９】
この第９の発明のサムタ−ン装置は、操作ボタンを装置固定部に係止させてサムタ−ンノブの移動を禁止させるための操作ボタンに加えるばね部材と、ボ−ル部材をクリック溝に突入させるばね部材とを兼用させることができる。
【００３０】
第１０の発明は、上記した第２又は第３の発明のサムタ−ン装置において、筒状の装置固定部を長形円筒部とし、この長形円筒部にシャフトを回転自在に挿入して軸支する構成としたことを特徴とするサムタ−ン装置を提案する。
【００３１】
この第１０の発明のサムタ−ン装置によれば、サムタ−ンノブに偏心荷重が加わった場合でも、この荷重が装置固定部の長形円筒部によって支持されるため、シャフトには加わらない。
このことから、サムタ−ンノブに不正解錠による偏心荷重が加わってもシャフトが回転しない。
【発明の効果】
【００３２】
上記した通り、本発明のサムタ−ン装置は、防犯モ−ドに切換えることにより、サムタ−ンノブが空転状態となるから、扉に孔をあけたり、或いは、扉の明り採り窓を壊したりして扉外からサムタ−ンノブを回転させても解錠しない。
【００３３】
また、防犯モ−ドから使用モ−ドに切換える場合は、サムタ−ンノブを一方向に移動させればよく、サムタ−ンによる正規の施解錠が容易となる。
【００３４】
さらに、本発明のサムタ−ン装置は、サムタ−ンノブが装置固定部に常時取付けられているので、サムタ−ンノブを見失ったり、紛失したりすることがなく、緊急時においても容易に解錠することができる。
【発明を実施するための最良の形態】
【００３５】
装置固定部に取付けたサムタ−ンノブを移動させて使用モ−ドと防犯モ−ドとに切換えることができるサムタ−ン装置を実現した。
【実施例１】
【００３６】
図１は、サムタ−ン装置１０を施解錠機構に組付ける状態を示す斜視図である。
この図において、１１は扉１２に設備された施解錠機構で、この施解錠機構１１には扉１２の外面に取付けてカム１３に連動させるようにしたシリンダ錠が設けてある。
【００３７】
また、サムタ−ン装置１０は、そのシャフトヘッドをカム１３の連結孔１３ａに嵌着すると共に、当該サムタ−ン装置１０のアタッチメントに形成した取付孔に取付杆１４を軸挿させるようにして、このサムタ−ン装置１０を扉１２の内面に組付ける。
【００３８】
このように組付けたサムタ−ン装置１０は、シリンダ錠のキ−操作またはサムタ−ンノブ１５の回転操作に連動するシャフトの回転によってカム１３を旋回させる。
これより、デッドボルト１６がカム１３によって連動されて進退して施解錠する。
なお、１７は扉側面にねじ止めするフロント板である。
【００３９】
図２はサムタ−ン装置１０の正面図、図３は図２上のＡ−Ａ線断面図、図４は図２上のＢ−Ｂ線断面図である。
図３及び図４は防犯モ−ドの動作状態を示すが、図５は使用モ−ド（施解錠可能状態）を示す図４同様の断面図である。
【００４０】
図３及び図４に示すように、防犯モ−ドでは、サムタ−ンノブ１５が扉１２の方向（図３、図４において右方向）に前進した位置となっている。
すなわち、サムタ−ンノブ１５を前進させると、クラッチが非連結となり、サムタ−ンノブ１５がシャフト１８に対して機械的に離れ、サムタ−ンノブ１５を回転操作しても、このサムタ−ンノブ１５が空転し、施解錠しない。
【００４１】
図５に示すように、使用モ−ドでは、サムタ−ンノブ１５が扉１２から離れる方向（図５において左方向）に後退した位置となっている。
この使用モ−ドでは、クラッチが連結し、サムタ−ンノブ１５をシャフト１８に機械的に連結させ、サムタ−ンノブ１５の回転操作によって施解錠することができる。
【００４２】
図４に示す防犯モ−ドから使用モ−ドに切換える場合は、操作ボタン１９、２０（操作手段）を押しながらサムタ−ンノブ１５を引張り操作した後、操作ボタン１９、２０の押し操作を解放する。この操作で図５に示す使用モ−ドとなる。
【００４３】
図５に示す使用モ−ドから防犯モ−ドにセットする場合は、サムタ−ンノブ１５を扉側に押動させれば、操作ボタン１９、２０が揺動しながらサムタ−ンノブ１５と共に移動する。この操作で図３、図４に示す防犯モ−ドとなる。
【００４４】
上記したシャフト１８は図６（Ａ）、（Ｂ）に詳細図として示してある通り、先端側にシャフトヘッド２１がねじ止めしてあり、また、その後端にはクラッチを形成する歯車状（複数の突形部）のクラッチ連結部１８ａと拡頭部１８ｂが設けてある。
【００４５】
さらに、その拡頭部１８ｂには、図２に示すように、施錠状態と解錠状態とを確認するためのマ−ク１８ｃが設けてある。
このシャフト１８は装置ボデ−２２の長形円筒部２２ｂに回転自在に軸挿して支持させてあり、シャフトヘッド２１の一部が装置ボデ−２２の段形部２２ｄに当接することで抜け止めしてある。
【００４６】
なお、シャフトヘッド２１は上記したカム１３の連結孔１３ａに非回転として嵌合させるものである。
また、図６（Ａ）はシャフトヘッド２０を取付けたシャフト１８の側面図、図６（Ｂ）は同シャフト１８の背面図である。
【００４７】
サムタ−ンノブ１５は図示するように、ノブ本体１５１とノブカバ−１５２とから構成してある。
ノブ本体１５１は図７（Ａ）〜（Ｄ）に詳細図として示してある通り、一端側に拡径部１５１ｂを形成した筒状体で、その筒内面には内歯状（複数の溝部）のクラッチ連結部１５１ａが設けてある。
【００４８】
また、このノブ本体１５１の周囲部の対称位置には２つの切込溝１５１ｃ、１５１ｄを形成すると共に、これら切込溝１５１ｃ、１５１ｄの溝底には、後述するコイルばねとボ−ル部材とを筒内に通すための小孔１５１ｅ、１５１ｆが設けてある。
なお、図７（Ａ）はノブ本体１５１の正面図、同図（Ｂ）はその背面図、同図（Ｃ）は図７（Ａ）上のＣ−Ｃ線断面図、同図（Ｄ）はその一部切欠き底面図である。
【００４９】
上記のノブ本体１５１にはノブカバ−１５２を被せて取付けねじ２３によってねじ止めしてある。（図２参照）
ノブカバ−１５２は図８に詳細図として示してある。
なお、図８（Ａ）はノブカバ−１５２の背面図、同図（Ｂ）はその一部切欠き側面図、同図（Ｃ）はその一部切欠き底面図である。
【００５０】
これらの図面から分かるように、ノブカバ−１５２は椀状体に形成し、その底部にはシャフト１８の拡頭部１８ｂを嵌入する孔部１５２ａを設けると共に、その内面の対称位置には、操作ボタン１９、２０の操作部を突出させる切込孔１５２ｂ、１５２ｃが形成してある。
【００５１】
また、このノブカバ−１５２の内面には、上記切込孔１５２ｂ、１５２ｃ各々の両側に位置するようにした軸支突片１５２ｄ、１５２ｅが設けてある。
これらの軸支突片１５２ｄ、１５２ｅは、その切込部１５２ｆ、１５２ｇが操作ボタン１９、２０の支軸１９ａ、２０ａ（図３、図４参照）を押さえ保持する。
【００５２】
つまり、切込部１５２ｆ、１５２ｇとノブ本体１５１に形成した拡径部１５１ｂの上面部１５１ｇ、１５１ｈとで操作ボタン１９、２０の支軸１９ａ、２０ａを挟むようにして保持させてある。
【００５３】
なお、ノブカバ−１５２のねじ孔１５２ｈにねじ込む取付けねじ２３はノブ本体１５１のねじ孔１５１ｉより差し入れてねじ込み、ノブ本体１５１にノブカバ−１５２を一体的に取付ける。
【００５４】
上記した装置ボデ−２２は図９に詳細図として示してある通り、中程にフランジ２２ａを形成した筒状体で、その一方側が長形円筒部２２ｂとなっており、この長形円筒部２２ｂにシャフト１８を回転自在に挿入するようになっている。
なお、図９（Ａ）は装置ボデ−２２の正面図、同図（Ｂ）はその背面図、同図（Ｃ）は図９（Ａ）上のＤ−Ｄ線断面図である。
【００５５】
上記した装置ボデ−２２の長形円筒部２２ｂには、図３〜図５に示すように、中間部材２４を回転自在に嵌合すると共に、中間部材２４の外周にサムタ−ンノブ１５のノブ本体１５１を回転自在に嵌合させて取付けてある。
【００５６】
中間部材２４は、円筒状体で、装置ボデ−２２のフランジ部２２ａとシャフト１８のクラッチ連結部１８ａとの間に回転自在に嵌合させ、シャフト１８の軸心方向に移動しないようにしてある。
【００５７】
この中間部材２４は、サムタ−ンノブ１５の操作感を得るためのものであるが、一方、防犯モ−ドにおいてサムタ−ンノブ１５と一体的に回転させるようになっているので、下記するボ−ル部材を付勢するばねのばね勢力に影響されることなく、軽い操作力でサムタ−ンノブ１５を空転させることができる。
【００５８】
サムタ−ンノブ１５を使用モ−ドに移動させても中間部材２４は軸心方向に移動しないようにすることにより、中間部材２４をシャフト１８の拡頭部１８ｂと装置ボデ−のフランジ部２２ａの間にがたつきなく取り付けることができるので、防犯モ−ドにおいて安定したサムタ−ンノブ１５の回転を得ることができる。
【００５９】
また、この中間部材２４には、シャフト１８の軸心方向に所定間隔をおいてリング状に形成した２つのクリック溝２４ａ、２４ｂが設けてある。
これらクリック溝２４ａ、２４ｂには、サムタ−ンノブ１５の移動位置を規制すると共にサムタ−ンノブ１５の移動に節度感を与えるボ−ル部材２５ａ、２５ｂが突入させてある。
なお、クリック溝２４ａ、２４ｂは、リング状の溝の他に、円形状、小判状又は長形状の溝部として形成することができる。
【００６０】
ボ−ル部材２５ａ、２５ｂは、ノブ本体１５１の小孔１５１ｅ、１５１ｆを通して操作ボタン１９、２０に部分的に収納させたコイルばね２６ａ、２６ｂによって押圧勢力が与えてある。
なお、コイルばね２６ａは、操作ボタン１９を時計方向に旋回させる復動勢力ばね、コイルばね２６ｂは操作ボタン２０を反時計方向に旋回させる復動ばねともなっている。
【００６１】
操作ボタン（操作手段）１９、２０は同構成のものであるので図１０には操作ボタン１９のみの詳細図が示してある。
図示する如く、操作ボタン１９は細長形のボタン部材で、その中程には支軸１９ａを設けると共に、コイルばね２６ａの収納孔１９ｂが形成してある。
【００６２】
また、この操作ボタン１９の一端部は装置ボデ−２２のフランジ部２２ａに係合させる爪部１９ｃとなっており、その他端部はノブカバ−１５２の一部に当接して操作ボタン１９の復動位置を決める復動規制部１９ｄとなっている。
なお、図１０（Ａ）は操作ボタン１９の側面図、同図（Ｂ）はその底面図、同図（Ｃ）は図１０（Ｂ）上のＥ−Ｅ線断面図である。
【００６３】
その他、このサムタ−ン装置は、図３〜図４に示すように、装置ボデ−２２にねじ止めしたアタッチメント２７、カラ−２８、扉厚調整用スプリング２９を備えている。
なお、サムタ−ンノブ１５は、ノブ本体１５１の段形部１５１ｊをシャフト１８の拡頭部１８ｂに当接させるようにして抜け止めしてある。
【００６４】
次に、上記したサムタ−ン装置１０の動作について説明する。
先ず、図３、図４に示した防犯モ−ドでは、サムタ−ンノブ１５が扉方向に移動した状態となっている。
すなわち、ボ−ル部材２５ａ、２５ｂが扉側のクリック溝２４ａに突入することでサムタ−ンノブ１５が前進位置で移動規制されている。
【００６５】
また、サムタ−ンノブ１５を前進させると、操作ボタン１９、２０の爪部１９ｃ、２０ｃが装置ボデ−２２のフランジ部２２ａに係合するため、サムタ−ンノブ１５の後退移動が阻止される。
【００６６】
さらに、サムタ−ンノブ１５が前進することにより、サムタ−ンノブ１５のクラッチ連結部１５１ａが扉方向に移動するため、シャフト１８のクラッチ連結部１８ａより離れ、クラッチが非連結となる。
【００６７】
したがって、この防犯モ−ドでは、サムタ−ンノブ１５、操作ボタン１９、２０、中間部材２４が一体的に回転する空転状態となる。
これより、サムタ−ンノブ１５が扉外から不正に回転されてもシャフト１８が回転せず、施解錠機構１１は解錠しない。
なお、中間部材２４は、長形円筒部２２ｂに対する回転摺動に比べボ−ル部材２５ａ、２６ｂの付勢力が大きいため、サムタ−ンノブ１５と一体的に回転する。
【００６８】
一方、防犯モ−ドから図５に示す使用モ−ドに切換える場合は、図４に示す状態において、操作ボタン１９、２０を押圧操作しながらサムタ−ンノブ１５を引張り操作する。
【００６９】
この操作で操作ボタン１９が反時計方向に、操作ボタン２０が時計方向に各々旋回し、それらの爪部１９ｃ、２０ｃがフランジ部２２ａより外れ、サムタ−ンノブ１５の移動が許可される。
【００７０】
そして、サムタ−ンノブ１５の引張り操作にしたがう後退動によって、ボ−ル部材２５ａ、２５ｂが扉より離れる方向のクリック溝２４ｂに転入することから、サムタ−ンノブ１５の後退移動がその位置で位置規制される。
【００７１】
このようにサムタ−ンノブ１５を後退移動させると、サムタ−ンノブ１５のクラッチ連結部１５１ａも後退動してシャフト１８のクラッチ連結部１８ａに噛合し、クラッチが連結する。
【００７２】
したがって、操作ノブ１９、２０を押圧操作しながらサムタ−ンノブ１５を後退移動させた段階で、サムタ−ンノブ１５を回転させることにより、シャフト１８が回転して施解錠することができる。
【００７３】
また、サムタ−ンノブ１５を後退移動させた後に、操作ボタン１９、２０の押圧操作を解放させると、操作ボタン１９、２０がコイルばね２６ａ、２６ｂのばね勢力で復動することから、爪部１９ｃ、２０ｃの後背テ−パ−１９ｅ、２０ｅがフランジ部２２ａのテ−パ−２２ｃに対接するようになる。
このように使用モ−ドにセットした状態では、サムタ−ンノブ１５を回転させることにより、常時施解錠することができる。
【００７４】
使用モ−ドから防犯モ−ドに切換えるときは、図５に示す使用モ−ドにおいて、サムタ−ンノブ１５を回転して施錠させた後に、操作ボタン１９、２０を押圧操作することなくサムタ−ンノブ１５を押動させれば、操作ボタン１９、２０の爪部１９ｃ、２０ｃがフランジ部２２ａのテ−パ−２２ｃに当接して支軸１９ａ、２０ａを支点に操作ボタン１９、２０が揺動し、爪部１９ｃ、２０ｃがフランジ部２２ａを乗越えるようにして軸心方向に移動する。
その後、コイルばね２６ａ、２６ｂのばね勢力で複動して爪部１９ｃ、２０ｃがフランジ部２２ａに係合する。
この操作によって図３、図４に示す防犯モ−ドにセットされる。
【００７５】
図１１、図１２は上記したクラッチの改良例を示す。
図１１（Ａ）、（Ｂ）はシャフト１８に設けたクラッチ連結部１８ａの構成例を示し、図示するように、歯車状のクラッチ連結部１８ａには、他方のクラッチ連結部１５１ａ側となる各々の歯状部に下り勾配のテ−パ−１８ｄが設けてある。
なお、図１１（Ａ）はシャフトの側面図、同図（Ｂ）は同シャフトの背面図である。
【００７６】
図１２（Ａ）、（Ｂ）はノブ本体１５１に設けたクラッチ連結部１５１ａの構成例を示し、図示するように、内歯の歯車状のクラッチ連結部１５１ａには、上記したクラッチ連結部１８ａ側となる各々の歯状部に下り勾配のテ−パ−１５１ｋが設けてある。
なお、図１２（Ａ）はノブ本体の正面図、同図（Ｂ）は図１２（Ａ）上のＦ−Ｆ線断面図である。
【００７７】
このように構成したクラッチ連結部１８ａ、１５１ａは、各々の歯状部がテ−パ−１８ｄ、１５１ｋの滑り作用により案内されるため、クラッチの連結が容易となる。
つまり、サムタ−ンノブ１５の回転位置にかかわらず、クラッチの連結が自在となるから、サムタ−ンノブ１５の操作性がよくなる。
【００７８】
なお、クラッチ連結部１８ａ、１５１ａは歯状部の数を多くして歯状部各々を小さく形成することが好ましい。
例えば、クラッチ連結部１８ａ、１５１ａの直径１６ｍｍに対して歯状部数３２とする。
【００７９】
上記のように構成したクラッチは、サムタ−ンノブ１５を引張り使用モ−ドに切換える場合、施解錠機構１１のガタ（例えば、連結孔１３ａとシャフトヘッド２１の間のガタ）によってシャフト１８が僅かに回転し、サムタ−ンノブ１５を回転させなくともクラッチが連結するようになる。
【００８０】
このようにテ−パ−１８ｄ、１５１ｋを設けたクラッチは、サムタ−ンノブ１５の移動に引っ掛かりをなくし、サムタ−ンノブ１５のどの回転位置でも円滑に使用モ−ドへの切換えを行なうことができる。
【００８１】
なお、本発明の実施に際しては、クラッチ連結部１８ａ、１５１ａ各々にテ−パ−１８ｄ、１５１ｋを設けることなく、それら連結部１８ａ、１５１ａのいずれか一方にテ−パ−を設けるようにしてもよい。
また、操作ボタンの数は必要に応じて増減することができる。
【図面の簡単な説明】
【００８２】
【図１】本発明を実施したサムタ−ン装置を施解錠機構に組み付ける状態を示す斜視図である。
【図２】上記サムタ−ン装置の正面図である。
【図３】図２上のＡ−Ａ線断面図（防犯モ−ド）である。
【図４】図２上のＢ−Ｂ線断面図（防犯モ−ド）である。
【図５】使用モ−ドを示す図４同様の線断面図である。
【図６】図６（Ａ）はシャフトヘッドを取付けたシャフトの側面図、同図（Ｂ）は同シャフトの背面図である。
【図７】図７（Ａ）はノブ本体の正面図、図７（Ｂ）はその背面図、図７（Ｃ）は同図（Ａ）図上のＣ−Ｃ線断面図、図７（Ｄ）は一部切欠き底面図である。
【図８】図８（Ａ）はノブカバ−の背面図、図８（Ｂ）はその一部切欠き側面図、図８（Ｃ）はその一部切欠き底面図である。
【図９】図９（Ａ）は装置ボデ−の正面図、図９（Ｂ）はその背面図、図９（Ｃ）は図９（Ａ）上のＤ−Ｄ線断面図である。
【図１０】図１０（Ａ）は操作ボタンの側面図、図１０（Ｂ）はその底面図、図９（Ｃ）は図１０（Ｂ）上のＥ−Ｅ線断面図である。
【図１１】図１１（Ａ）はクラッチの改良例として示したシャフトの側面図、図１１（Ｂ）はその背面図である。
【図１２】図１２（Ａ）はクラッチの改良例を示すノブ本体の正面図、図１２（Ｂ）は図１２上のＦ−Ｆ線断面図である。
【符号の説明】
【００８３】
１０  サムタ−ン装置
１１  施解錠機構
１２  扉
１５  サムタ−ンノブ
１８  シャフト
１８ａ  クラッチ連結部
１９、２０  操作ボタン
１９ｃ、２０ｃ  爪部  
２２  装置ボデ−
２２ａ  フランド部
２２ｂ  長形円筒部
２４  中間部材
２４ａ、２４ｂクリック溝
２５ａ、２５ｂ  ボ−ル部材
２６ａ、２６ｂ  コイルばね
１５１  ノブ本体
１５１ａ  クラッチ連結部
１５２  ノブカバ−
１５２ｄ、１５２ｅ  軸支突片
【図１】
2005061176.tif 000003
【図２】
2005061176.tif 000004
【図３】
2005061176.tif 000005
【図４】
2005061176.tif 000006
【図５】
2005061176.tif 000007
【図６】
2005061176.tif 000008
【図７】
2005061176.tif 000009
【図８】
2005061176.tif 000010
【図９】
2005061176.tif 000011
【図１０】
2005061176.tif 000012
【図１１】
2005061176.tif 000013
【図１２】
2005061176.tif 000014